(57)【特許請求の範囲】
【請求項１】
原稿を読み取り、画像データに変換する原稿読取手段と、当該画像データを電子ファイル化するファイル化手段と、画像データがファイル化された原稿に、該画像処理装置で原稿が読み取られたか、該画像処理装置以外の装置で原稿が読み取られたかを識別するための機器情報を含む読取済み情報を記録する読取済み情報記録手段と、原稿に読取済み情報が記録されているか否かを確認する読取済み情報確認手段と、前記読取済み情報確認手段によって確認された前記読取済み情報に該画像処理装置で原稿が読み取られたことを示す機器情報が含まれているか、該画像処理装置以外の装置で原稿が読み取られたことを示す機器情報が含まれているかを判定する判定手段と、前記各手段を制御する制御手段とを備えた画像処理装置であって、
前記制御手段は、前記読取済み情報確認手段により、読取済み情報が記録されていないことが確認されたときと、又は、前記判定手段によって前記読取済み情報に該画像処理装置で原稿が読み取られたことを示す前記機器情報を含むと判定されたときに、前記ファイル化手段に電子ファイル化を行わせ、前記判定手段によって前記読取済み情報に該画像処理装置以外の装置で読み取られたことを示す前記機器情報が含まれると判定されたとき、前記ファイル化手段に電子ファイル化を行わせない画像処理装置。
【請求項２】
請求項１に記載された画像処理装置において、
前記原稿読取手段は、複数の原稿の両面を連続的に読み取るモードを有し、前記制御手段は、前記原稿読取手段が当該モードに設定されているときのみ、前記読取済み情報確認手段による読取済み情報の記録の有無の確認動作、前記判定手段による判定動作、及びその結果に基づく前記ファイル化手段による電子ファイル化の動作の制御を行う画像処理装置。
【請求項３】
請求項１に記載された画像処理装置において、
前記読取済み情報記録手段は電子透かしを利用して読取済み情報を記録する画像処理装置。
【請求項４】
請求項１に記載された画像処理装置において、
前記読取済み情報記録手段は、予め原稿に添付されている電子タグに記録する画像処理装置。
【請求項５】
請求項１又は２に記載された画像処理装置において、
前記読取済み情報を記録するページを選択するページ選択手段を有し、前記読取済み情報記録手段は、当該ページ選択手段により選択されたページのみに読取済み情報を記録する画像処理装置。
【請求項６】
請求項５に記載された画像処理装置において、
前記ページ選択手段は、読取済みの原稿の所定ページ毎に１ページを選択する画像処理装置。
【請求項７】
請求項５に記載された画像処理装置において、
前記ページ選択手段は、読取済みの原稿の画像データが所定の特徴を有するページを選択する画像処理装置。
【請求項８】
請求項５に記載された画像処理装置において、
原稿が複数巻からなる書籍を裁断したものである場合、前記ページ選択手段は一部の巻を選択する画像処理装置。
【請求項９】
それぞれが請求項１に記載された画像処理装置からなる第１の画像処理装置及び第２の画像処理装置を有する画像処理システムであって、
前記第１の画像処理装置で読取済み情報を記録した原稿の前記第１の画像処理装置による電子ファイル化を可能にし、当該原稿の前記第２の画像処理装置による電子ファイル化を不能にした画像処理システム。
【発明の詳細な説明】
【技術分野】
【０００１】
本発明は、原稿を読み取って画像データを生成し、その画像データを電子ファイル化する画像処理装置及び画像処理システムに関し、さらに詳しくは、裁断された書籍などの原稿の著作権保護を可能にした画像処理装置及び画像処理システムに関する。
【背景技術】
【０００２】
裁断機を利用して書籍を解体し、各ページを連続的に両面読取可能な画像読取装置で読み取って画像データを生成し、画像データを可搬性の高い電子ファイル形式（例えばAdobe社のＰＤＦ（Portable Document Format）など）に変換することで、書籍を電子ファイル化することは知られている。
【０００３】
ここで問題になるのが書籍の著作権の保護である。即ち、上述した方法で書籍を電子ファイル化することは、私的複製として著作権法上問題はなく、その後の書籍を古書業者などに販売することも適法とされているため、ネットオークションなどで転売された裁断後の書籍の再電子ファイル化を防止することは、法律的にも技術的にも不可能である。
【０００４】
従来、読取済みの原稿の再読取を防止できる装置として、特許文献１に記載された画像処理装置がある。この画像処理装置は、読取を行った帳票に対して読取済みであることを示す特殊マークを記録する機能と、帳票読取の際に特殊マークが記録されているか否かを判定し、記録されている場合にその帳票の読取を防止する機能とを備えている。
【０００５】
しかしながら、この画像処理装置の読取対象を裁断された書籍にした場合、転売先でこの画像処理装置を用いることで再読取の防止が可能になるため、転売された裁断後の書籍の再電子ファイル化を防止することはできるものの、著作権法上問題のない書籍の私的複製である電子ファイル化が１回に制限されてしまうという問題がある。この結果、例えば電子ファイルを紛失した場合や、画像処理装置のエラーにより電子ファイルが作成できなかったにもかかわらず、読取済みマークを付与してしまった場合には、電子ファイル化ができなくなるという問題がある。
【発明の概要】
【発明が解決しようとする課題】
【０００６】
本発明は、このような問題を解決するためになされたものであり、その目的は、書籍などの原稿の私的複製である電子ファイル化の繰り返しを可能にするとともに、再電子ファイル化を防止できるようにすることである。
【課題を解決するための手段】
【０００７】
本発明の画像処理装置は、原稿を読み取り、画像データに変換する原稿読取手段と、当該画像データを電子ファイル化するファイル化手段と、画像データがファイル化された原稿に、該画像処理装置で原稿が読み取られたか、該画像処理装置以外の装置で原稿が読み取られたかを識別するための機器情報を含む読取済み情報を記録する読取済み情報記録手段と、原稿に読取済み情報が記録されているか否かを確認する読取済み情報確認手段と、前記読取済み情報確認手段によって確認された前記読取済み情報に該画像処理装置で原稿が読み取られたことを示す機器情報が含まれているか、該画像処理装置以外の装置で原稿が読み取られたことを示す機器情報が含まれているかを判定する判定手段と、前記各手段を制御する制御手段とを備えた画像処理装置であって、前記制御手段は、前記読取済み情報確認手段により、読取済み情報が記録されていないことが確認されたときと、又は、前記判定手段によって前記読取済み情報に該画像処理装置で原稿が読み取られたことを示す前記機器情報を含むと判定されたときに、前記ファイル化手段に電子ファイル化を行わせ、前記判定手段によって前記読取済み情報に該画像処理装置以外の装置で読み取られたことを示す前記機器情報が含まれると判定されたとき、前記ファイル化手段に電子ファイル化を行わせない画像処理装置である。
本発明の画像処理システムは、それぞれが本発明の画像処理装置からなる第１の画像処理装置及び第２の画像処理装置を有する画像処理システムであって、前記第１の画像処理装置で読取済み情報を記録した原稿の前記第１の画像処理装置による電子ファイル化を可能にし、当該原稿の前記第２の画像処理装置による電子ファイル化を不能にした画像処理システムである。
【０００８】
［作用］
本発明の画像処理装置によれば、原稿に画像処理装置で原稿が読み取られたか、該画像処理装置以外の装置で原稿が読み取られたかを識別するための機器情報を含む読取済み情報が記録されていないときと、該画像処理装置で原稿が読み取られたことを示す機器情報を含む読取済み情報が記録されているときに、原稿の電子ファイル化を行い、該画像処理装置以外の装置で原稿が読み取られたことを示す機器情報を含む読取済み情報が記録されているときに、電子ファイル化を行わない。
【発明の効果】
【０００９】
本発明によれば、書籍などの原稿の私的複製である電子ファイル化を繰り返すことができ、かつ再電子ファイル化を防止することができる。
【図面の簡単な説明】
【００１０】
【図１】本発明の実施形態の画像処理装置の概略構成及びその使用態様を示す図である。
【図２】本発明の実施形態の画像処理装置のハードウェア構成の一例を示すブロック図である。
【図３】本発明の実施形態の画像処理装置の動作を示すフローチャートである。
【図４】本発明の実施形態の画像処理システムの概略構成を示す図である。
【発明を実施するための形態】
【００１１】
以下、本発明の実施形態について図面を参照して説明する。
〈画像処理装置の概略構成及びその使用態様〉
図１は、本発明の実施形態の画像処理装置の概略構成及びその使用態様を示す図である。
【００１２】
図示のように、第１の画像処理装置１は読取済みマーク確認部１１、読取部１２、データ形式変換部１３、及び読取済みマーク記録部１４を有する。また、第２の画像処理装置２は読取済みマーク確認部２１、読取部２２、データ形式変換部２３、及び読取済みマーク記録部２４を有する。第１の画像処理装置１、第２の画像処理装置２において、同名の部分は同じ機能を持っている。つまり、第１の画像処理装置１、第２の画像処理装置２は同じ構成を持っている。
【００１３】
第１の画像処理装置１において、読取済みマーク確認部１１は、セットされた原稿に読取済みマークが記録されているか否か、及び記録されていた場合にはそのマークが読取済みマーク記録部１４により記録されたものであるか否かを確認し、その結果を示す情報及び原稿を読取部１２へ送る。
【００１４】
読取部１２は、入力された原稿に読取済みマークが記録されていない場合、及び読取済みマーク記録部１４により記録された読取済みマークが記録されている場合は原稿の読取を行い、そうでない場合、即ち読取済みマーク記録部１４により記録された読取済みマーク以外の読取済みマークが記録されている場合は、原稿の読取を行わない。
【００１５】
読取部１２は、原稿を読み取って画像データに変換し、データ形式変換部１３に出力する。データ形式変換部１３は、画像データを所定の形式（例えばＰＤＦ）のファイルに変換する。
【００１６】
また、読取部１２は、読取済みの原稿を読取済みマーク記録部１４へ送る。読取済みマーク記録部１４は、読取済み原稿に対して、この第１の画像処理装置１で処理（読取、電子ファイル化）されたことを示す読取済みマークを記録する。読取済みマークの具体例については後述する。
【００１７】
第２の画像処理装置２における読取済みマーク確認部２１、読取部２２、データ形式変換部２３、読取済みマーク記録部２４は、それぞれ第１の画像処理装置１における読取済みマーク確認部１１、読取部１２、データ形式変換部１３、読取済みマーク記録部１４と同様に動作する。
【００１８】
以上の構成を有する第１の画像処理装置１及び第２の画像処理装置２の動作を説明する。第１の画像処理装置１の読取済みマーク確認部１１は、セットされた原稿３１に読取済みマークが記録されているか否かを確認し、その結果を示す情報及び原稿３１を読取部１２へ送る。
【００１９】
ここで、原稿３１は、図示しない裁断機により解体された書籍の本文であり、読取済みマークは記録されていない。従って、読取部１２は原稿３１を読み取って画像データに変換し、その画像データをデータ形式変換部１３へ送るとともに、原稿３１を読取済みマーク記録部１４へ送る。
【００２０】
データ形式変換部１３は、原稿３１の画像データを所定の形式に変換し、変換データ３２を得る。読取済みマーク記録部１４は、原稿３１に読取済みマークを記録して、読取済み原稿３３を得る。
【００２１】
この読取済み原稿３３を第１の画像処理装置１にセットすると、読取済みマーク確認部１１は、読取済み原稿３３に自身（第１の画像処理装置１）で処理されたことを示す読取済みマークが記録されていることを確認する。
【００２２】
この結果に基づいて、読取部１２は読取済み原稿３３を再度読み取り、画像データに変換する。また、データ形式変換部１３は、画像データから変換データ３２を生成する。ただし、読取済みマーク記録部１４は、読取済み原稿３３に再度の読取済みマークの記録は行わない。
【００２３】
一方、読取済み原稿３３を第２の画像処理装置２にセットすると、読取済みマーク確認部２１は、読取済み原稿３３に自身（第２の画像処理装置２）で読み取られたことを示す読取済みマーク以外の読取済みマークが記録されていることを確認する。この結果に基づいて、読取部２２は読取済み原稿３３の読取を行わない。
【００２４】
このように、原稿３１を最初に処理した第１の画像処理装置１は、その原稿を繰り返し処理することができるが、他の画像読取装置はその原稿を処理することができないので、第１の画像処理装置１により書籍などの電子ファイル化を繰り返すことができ、他の画像処理装置による上記書籍などの電子ファイル化を防止することができる。
【００２５】
〈画像処理装置の構成〉
図２は、第１の画像処理装置１、及び第２の画像処理装置２のハードウェア構成の一例を示すブロック図である。図示のように、画像処理装置は、バス４１と、それぞれがバス４１に接続された両面原稿連続給紙部４２、読取部４３、地紋書き込み部４４、中央制御部４５、主記憶部４６、不揮発性記憶部４７、補助記憶部４８、及び通信部４９を有する。また、図示を省略したが、各種ボタンを備えた操作部、及びＬＣＤ（Liquid Crystal Display）などを備えた表示部を有する。
【００２６】
両面原稿連続給紙部４２はＡＤＦ（Automatic Document Feeder）からなり、複数枚の原稿の両面を連続的に読取部４３に搬送することができる。読取部４３は原稿の画像を中央制御部４５で処理可能な画像データに変換する。地紋書き込み部４４は読取部４３の後方の原稿搬送路に位置し、地紋データ生成部４４ａで生成した地紋を印刷装置部４４ｂで原稿に印刷する。地紋とは所定の情報を電子透かしによりそれと分からないように盛り込んだパターンである。
【００２７】
中央制御部４５はＣＰＵ（Central Processing Unit）からなり、この画像処理装置全体を制御する。主記憶部４６は、読取データ変換プログラム４６ａ、地紋判定プログラム４６ｂ、機器一致判定プログラム４６ｃ等の様々なプログラムや、読取部４３で生成された画像データなどが一時的に記憶される。
【００２８】
ここで、読取データ変換プログラム４６ａは、読取部４３で生成された画像データをＪＰＥＧ（Joint Photographic Experts Group）、ＰＮＧ（Portable Network Graphics）、ＰＤＦ等の形式のデータに変換する機能を持っている。また、地紋判定プログラム４６ｂは、読取部４３で生成された原稿の画像データを解析して、原稿上の地紋に書かれた情報を読み取る機能を持っており、機器一致判定プログラム４６ｃは、地紋判定プログラム４６ｂにより読み取られた情報に含まれている機器情報を、後述の機器固有ＩＤと比較する機能を持っている。
【００２９】
不揮発性記憶部４７はフラッシュＲＯＭ（Read Only Memory）などからなり、各種プログラム群４７ａ、機器固有ＩＤ４７ｂ等が格納されている。なお、プログラム群を後述の補助記憶媒体４８ａに格納するように構成することもできる。
【００３０】
補助記憶部４８はＳＤカードなどの補助記憶媒体４８ａに対するデータの書き込み／読み出しを行う。読取部４３で生成され、電子ファイル化された画像データを補助記憶媒体４８ａに記憶することもできる。
【００３１】
通信部４９はネットワークＩ／Ｆ（インタフェース）及びＵＳＢ（Universal Serial Bus）Ｉ／Ｆ等の外部接続Ｉ／Ｆを備えており、これらのＩ／Ｆを介して、外部機器との間で画像データを送受することもできる。
【００３２】
〈画像処理装置の動作〉
図３は、本発明の実施形態の画像処理装置の動作を示すフローチャートである。この図を参照して、本発明の実施形態の画像処理装置の動作を説明する。
【００３３】
ステップＳ１では、両面原稿連続給紙部４２に原稿をセットし、必要に応じて各種の設定（例えば原稿が両面であるか否か）を行い、処理の開始操作を行う。ここで、原稿が両面であるか否かを自動的に検知できるように構成してもよいし、設定を行うように構成してもよい。重要なのは、原稿が両面であるということを画像処理装置が認識しているということである。
【００３４】
ステップＳ２では、両面・連続給紙のモードであるか否かをチェックし、両面・連続給紙のモードでなければ（ステップＳ２：NO）、ステップＳ３に進んで通常の原稿読取を行い、次にステップＳ４で読取済みデータを電子ファイル化し、この図のフローを終了する。その理由は、書籍本文の読取であれば一枚ずつの読取、或いは片面の読取である可能性は低いため、後述する書籍本文に対する処理（ステップＳ６〜Ｓ１２）は不要であると仮定し、それらの処理をバイバスして通常の原稿読取処理を行って終了する。ただし、ステップＳ２〜Ｓ４を省略して常にステップＳ５〜Ｓ１２を行うようにしてもよい。なお、ステップＳ３の「原稿読取」では読取部４３で生成された原稿の画像データ（読取済みデータ）を主記憶部４６に一時的に記憶し、ステップＳ４の「読取済みデータの電子ファイル化」では読取済みデータを所定の形式の電子ファイルに変換した後に補助記憶部４８に転送し、補助記憶媒体４８ａに保存する。
【００３５】
両面・連続給紙のモードであれば（ステップＳ２：YES）、ステップＳ５に進んで原稿を読み取り、次にステップＳ６で、ステップＳ１でセットされた原稿に読取済みマークが付与されているか否かを判定する。ここでは、地紋判定プログラム４６ｂが主記憶部４６に記憶されている画像データを解析することで、読取済みマークが付与されているか否かを判定する。
【００３６】
読取済みマークが付与されていた場合（ステップＳ６：YES）、ステップＳ７に進んで、その読取済みマークが、同じ画像処理装置で原稿を処理した時に付与されたものであるか否かを判定する（ステップＳ７）。ここでは、機器一致判定プログラム４６ｃが、地紋判定プログラム４６ｂにより読み取られた地紋データに含まれている機器情報と不揮発性記憶部４７に格納されている機器固有ＩＤ４７ｂとを比較し、一致するか否かを判定する。
【００３７】
そして、同じ画像処理装置で原稿を処理した時に付与されたものであった場合は（ステップＳ７：YES）、ステップＳ４に進み、ステップＳ５で読み取った画像データを電子ファイル化し、処理を終了する。同じ画像処理装置での再処理であれば、電子ファイル化したデータを紛失した、或いは電子ファイル化に失敗した等の場合であると認識し、処理をブロックせずに、ステップＳ４にて読取済みデータを電子ファイル化する。
【００３８】
一方、他の画像処理装置で原稿を処理した時に付与されたものであった場合は（ステップＳ７：NO）、ステップＳ８に進み、「再度の読取はできません」とのエラーメッセージを表示部に表示し、この図のフローを終了する。ステップＳ８は、今回実行しようとする原稿の処理が不適切な再処理（つまり、ネットオークションなどで転売された裁断済みの書籍の読取、電子ファイル化）であると判定された場合の処理である。
【００３９】
原稿に読取済みマークが付与されていなかった場合は（ステップＳ６：NO）、ステップＳ９に進み、ステップＳ５で読み取った画像データを電子ファイル化する。次にステップＳ１０に進み、電子ファイル化した原稿が読取済みマークを付与すべきページであるか否かを判定する。判定基準は下記ａ〜ｅである。
ａ：あるページ間隔で読取済みマークを付与する。
ｂ：カラーページには重要な情報があることが多いと考え、カラーページに読取済みマークを付与する。
ｃ：ある種の書籍（写真集や、一部の雑誌など）はカラーグラビアが商品性を大きく左右するので、読取結果の文字列自動認識によってそのような書籍であると認識された場合、カラーグラビアに読取済みマークを付与する。
ｄ：コミックの場合、コマ割りが大きなページはクライマックスシーンである可能性が高いので、そのページに読取済みマークを付与する。
ｅ：複数巻からなる書籍の場合、読取結果の文字列自動認識によって巻数を認識し、例えば第１巻、真中の巻、最終巻などの一部の巻に読取済みマークを付与する。
【００４０】
判定の結果、付与すべきページでなかった場合は（ステップＳ１０：NO）、そのままステップＳ１２に進み、付与すべきページであった場合は（ステップＳ１０：YES）、ステップＳ１１に進んで読取済みマークを原稿に付与してからステップＳ１２に進む。ステップＳ１１では、地紋書き込み部４４内の地紋データ生成部４４ａが不揮発性記憶部４７に格納されている機器固有ＩＤ４７ｂに対応する地紋データを生成し、印刷装置部４４ｂが原稿上に地紋を印刷する。
【００４１】
ステップＳ１２では、未処理の原稿があるか否かを判断する。そして、ある場合には（ステップＳ１２：YES）、ステップＳ６に移行し、ない場合には（ステップＳ１２：NO）は、全ての原稿に対する処理が完了しているので、この図の処理を終了する。
【００４２】
以上詳細に説明したように、本実施形態の画像処理装置によれば、原稿に読取済み情報が記録されていないときと、自身に割り当てられた情報を含む読取済み情報が記録されているときに、原稿の電子ファイル化を行い、それ以外の読取済み情報が記録されているときは電子ファイル化を行わないので、書籍などの私的複製である電子ファイル化を繰り返すことができ、かつ販売後の上記書籍などの再電子ファイル化を防止することができる。
また、両面原稿連続給紙部４２を設け、両面・連続給紙のモードに設定されている場合のみ、読取済み情報の記録の有無の確認を行うので、処理対象を書籍などに限定することが容易になる。
【００４３】
なお、本実施形態において、下記（１）〜（３）の変形が可能である。
（１）地紋データ生成部４４ａが生成する地紋データとして、機器固有ＩＤ４７ｂに代えて、通信部４９に割り当てられたＩＰネットワークのＩＰアドレスを用いる。この構成の場合、オフィスなど、複数の画像処理装置が同一のＩＰセグメントのＬＡＮ（Local Area Network）に接続されている場合は、同一のＩＰセグメント情報を有する別の画像処置装置による再電子ファイル化を可能にすることができる。
【００４４】
（２）地紋データ生成部４４ａが生成する地紋データとして、機器固有ＩＤ４７ｂに代えて、ディレクトリサービスにおけるロケーション情報を用いる。この構成の場合、運用上、企業の部門とは別に管理されている可能性のあるＩＰセグメントとは異なり、ディレクトリサービスにおけるロケーション情報は、部門別に管理されていることがほぼ保証されているので、ＩＰセグメント情報を利用する場合よりも確実に部門内での再電子ファイル化が可能になる。
【００４５】
（３）電子透かしを用いた地紋による読取済みマークの付与に代えて、非接触で情報の読み書きが可能な小型の装置（ＲＦＩＤタグ）を予め原稿（書籍）に付けておき、そこに読取済み情報を記録する。この構成の場合、事前に原稿にＲＦＩＤタグを付ける手間かかること、及びＲＦＩＤタグのコストがかかることがデメリットであるが、非接触であるためメカ的構造が単純であり、多くの情報を盛り込めるというメリットがある。
【００４６】
一方、前述した電子透かしには、薄いとはいえ印刷を行うので、そこで紙詰まりなどが起こって元原稿が破損する可能性と、印刷によって元原稿が読み取りにくくなる可能性があるというデメリットがあるが、書籍側にとくに事前の仕掛けが必要でないというメリットがある。
【００４７】
また、ＲＦＩＤタグを用いた場合、ステップＳ１０の判定が不要になるというメリットもある。即ち、書籍作成側でどのページにＲＦＩＤタグを埋め込むかを決めることができるので、当該書籍において根幹となるページに選択的にＲＦＩＤタグを埋め込むことで、裁断され転売される書籍の商品性（再電子ファイル化を防止するという意味での）を大きく損ねることができる。従って、ステップＳ１０における「読取済みマークを付与するページであるか否の判断」は不要であり、ＲＦＩＤタグに読取済み情報を書き込むことで、ＲＦＩＤタグが埋まっているページに読取済みマークが付与されたことになる。
【００４８】
また、ＲＦＩＤタグを用いた場合、原稿の画像の読取（ステップＳ５）を行うことなく、ＲＦＩＤタグを読み取るだけで、ステップＳ６の判定ができるため、判定処理を迅速に行うことができる。
【００４９】
〈画像処理システム〉
図４は、本発明の実施形態の画像処理システムの概略構成を示す図である。
この画像処理システムは、それぞれが第１のＬＡＮ５０に接続された第１の画像読取装置５１、第２の画像読取装置５２、及びＰＣ（パーソナルコンピュータ）５３からなる第１の画像処理装置と、それぞれが第２のＬＡＮ５４に接続された第３の画像読取装置５５、及びＰＣ５６からなる第２の画像処理装置からなる。第１のＬＡＮ５０と第２のＬＡＮ５４は広域ネットワーク（ＷＡＮ：Wide Area Network）回線などにより接続されている。
【００５０】
各画像読取装置は、図１に示す第１の画像処理装置１、第２の画像処理装置２からデータ形式変換部１３、２３を除いた構成を備えており、代わりにＰＣ５３及びＰＣ５６がデータ形式変換機能を備えている。
【００５１】
また、各画像読取装置は、自分で読み取った原稿に対して、それぞれが接続されているＬＡＮ上のＩＰアドレスを含む読取済み情報を前述した電子透かしやＲＦＩＤタグを用いて記録する。つまり、第１の画像読取装置５１と第２の画像読取装置５２とは同一のＩＰセグメント情報を有するＩＰアドレスを含む読取済み情報を記録し、第３の画像読取装置５５は第１の画像読取装置５１、第２の画像読取装置５２とは異なるＩＰセグメント情報を有するＩＰアドレスを含む読取済み情報を記録する。
【００５２】
以上の構成を有する画像処理システムの動作の一例について説明する。
ユーザは読取前の書籍本文の原稿６１を第１の画像読取装置５１にセットし、その操作部或いはＰＣ５３から読取を指示する。第１の画像読取装置５１は、読取済みマークが付与されていないことを確認した後に原稿の読取を行う。そして、原稿から生成した画像データを第１のＬＡＮ５０を通してＰＣ５３に送るとともに、読み取った原稿に読取済みマークを付与し、読取済みマーク付きの書籍本文６３とする（図の実線の矢印の経路）。ＰＣ５３は、受信した画像データを所定の形式に変換し、変換データ６２を得る。
【００５３】
次にユーザは読取済みマーク付きの書籍本文６３を第２の画像読取装置５２にセットし、その操作部或いはＰＣ５３から読取を指示する。第２の画像読取装置５２は、自身に割り当てられたＩＰアドレスのＩＰセグメント情報と、読取済みマーク付きの書籍本文６３に付与されている読取済みマークに含まれているＩＰアドレスのＩＰセグメント情報とが一致することを確認した後に原稿の読取を行う。そして、原稿から生成した画像データを第１のＬＡＮ５０を通してＰＣ５３に送る（点線の矢印）。ＰＣ５３は、受信した画像データを所定の形式に変換し、変換データ６２を得る。読取済みマーク付きの書籍本文６３には、読取済みマークが付与済みであるため、第２の画像読取装置５２は読取済みマークの付与（再付与）は行わない。
【００５４】
一方、読取済みマーク付きの書籍本文６３を第３の画像読取装置５５にセットし、その操作部或いはＰＣ５６或いはＰＣ５３から読取を指示すると、第３の画像読取装置５５は、自身に割り当てられたＩＰアドレスのＩＰセグメント情報と、読取済みマーク付きの書籍本文６３に付与されている読取済みマークに含まれているＩＰアドレスのＩＰセグメント情報とが異なることを確認した後に、画像読取装置が表示部を備えている場合はその表示部に、そうでない場合はＰＣ５６の表示部に、「再度の読取はできません」などのエラーメッセージを表示する。
【００５５】
以上のように、本発明の実施形態の画像処理システムによれば、同一のＬＡＮに接続された画像読取装置の間では、自身はもとより他の画像読取装置で読み取った原稿の再読取を可能にしつつ、異なるＬＡＮに接続された画像読取装置による再読取を防止することができる。
【符号の説明】
【００５６】
１，２…画像処理装置、１１，２１…読取済みマーク確認部、１２，２２…読取部、１４，２４…読取済みマーク記録部、４２…両面原稿連続給紙部、４３…読取部、４４…地紋書き込み部、４５…中央制御部、４６…主記憶部、４７…不揮発性記憶部、４８…補助記憶部、５１，５２，５５…画像読取装置。
【先行技術文献】
【特許文献】
【００５７】
【特許文献１】特許第３４１２４４１号公報
【図１】
0005720251.tif 000002
【図２】
0005720251.tif 000003
【図３】
0005720251.tif 000004
【図４】
0005720251.tif 000005